(57)【要約】【課題】顧客が所望する仕様を容易かつ確実に決定することのできる住宅設備商品の仕様決定システムを提供する。【解決手段】電子ペン１と、電子ペン１により認識可能なドットパターンが印刷さているとともに、住宅設備商品の仕様選択が可能な選定項目毎に選択データが印刷された選定シート１０とを利用した住宅設備商品の仕様決定システムである。選定項目毎に選択データを電子ペン１によりチェックし、選択データを取得するデータ取得手段と、データ取得手段により取得された選択データが住宅設備商品の仕様を決定するために不足なく、かつ選択可能なものであるか否かを判定する判定手段３４と、判定手段３４による良の判定結果後、選択データに基づいて見積作成用データを作成する見積データ作成手段３５と、見積作成用データに基づいて見積書５１を作成する見積書作成手段５０とを備えている。【選択図】図１
2009099001.tif 000002
【特許請求の範囲】
【請求項１】
電子ペンと、該電子ペンにより認識可能なドットパターンが印刷さているとともに、住宅設備商品の仕様選択が可能な選定項目毎に選択データが印刷された選定シートとを利用した住宅設備商品の仕様決定システムであって、
該選定項目毎に該選択データを該電子ペンによりチェックし、該選択データを取得するデータ取得手段と、
該データ取得手段により取得された該選択データが該住宅設備商品の仕様を決定するために不足なく、かつ選択可能なものであるか否かを判定する判定手段と、
該判定手段による良の判定結果後、該選択データに基づいて見積作成用データを作成する見積データ作成手段と、
該見積作成用データに基づいて見積書を作成する見積書作成手段とを備えていることを特徴とする住宅設備商品の仕様決定システム。
【請求項２】
前記住宅設備商品は標準仕様が設定されており、前記選定シートの前記選定項目には該標準仕様を選択することが可能な項目が設けられ、
該標準仕様が選択されると、特定の該選定項目として自動的に該標準仕様に対応する前記選択データを選択する自動選択手段を備えている請求項１記載の住宅設備商品の仕様決定システム。
【請求項３】
取得された前記選択データが該住宅設備商品の仕様を決定するために不足している、又は選択不可能なものであると前記判定手段により判定された場合、エラーメッセージを発するエラー発生手段を備えている請求項１又は２記載の住宅設備商品の仕様決定システム。
【請求項４】
前記見積作成用データに基づいて仕様図面を作成する図面作成手段を備えている請求項１乃至３のいずれか１項記載の住宅設備商品の仕様決定システム。
【請求項５】
前記見積作成用データに基づいて提案書を作成する提案書作成手段を備えている請求項1乃至４のいずれか１項記載の住宅設備商品の仕様決定システム。
【発明の詳細な説明】
【技術分野】
【０００１】
本発明は住宅設備商品の仕様決定システムに関する。
【背景技術】
【０００２】
特許文献１に従来の住宅設備商品の仕様決定システムが開示されている。この仕様決定システムは、コンピューターの表示画面上で浴室の仕様選択が可能な項目毎にデータを入力したり、コンピューターの表示画面に表示された選択データを選択したりすることにより浴室の仕様を決定するものである。
【０００３】
この仕様決定システムは、浴室の大きさ等の基本データを入力することにより、入力された基本データに合致した浴室の基本タイプのイメージ画像をコンピューターの表示画面に表示する。この表示画面に表示された浴室のイメージ画像を確認しながら、浴室の仕様選択が可能な項目（例えば、浴槽の形状等）毎に表示画面に表示される選択データを選択することにより、浴室の仕様を変更することができる。このようにして、この仕様決定システムは、顧客が所望する浴室の仕様を決定することができる。また、その仕様に基づいて見積書、仕様図面、提案書を作成することができる。
【０００４】
【特許文献１】特開２００３−２５６４８２号公報
【発明の開示】
【発明が解決しようとする課題】
【０００５】
しかし、上記従来の仕様決定システムでは、コンピューターの表示画面上で浴室のイメージ画像を確認することにより仕様を決定するものであるため、ショールーム等に展示されている浴槽等の浴室を構成する各部材の実物を見て周りながら仕様を決定することが困難である。このため、各部材の質感等を把握することが困難である。また、浴室の仕様選択が可能な項目は多数あり、各項目の選択データを選択するには、各項目毎にコンピューターの表示画面を遷移させなければならないため手間を要する。また、浴室の仕様選択が可能な項目及び選択データの全容を把握することが困難である。このため、選択可能であるにもかかわらず選択データから選択せずに仕様を決定してしまうおそれがある。
【０００６】
本発明は、上記従来の実情に鑑みてなされたものであって、顧客が所望する仕様を容易かつ確実に決定することのできる住宅設備商品の仕様決定システムを提供することを解決すべき課題としている。
【課題を解決するための手段】
【０００７】
本発明の住宅設備商品の仕様決定システムは、電子ペンと、該電子ペンにより認識可能なドットパターンが印刷さているとともに、住宅設備商品の仕様選択が可能な選定項目毎に選択データが印刷された選定シートとを利用した住宅設備商品の仕様決定システムであって、
該選定項目毎に該選択データを該電子ペンによりチェックし、該選択データを取得するデータ取得手段と、
該データ取得手段により取得された該選択データが該住宅設備商品の仕様を決定するために不足なく、かつ選択可能なものであるか否かを判定する判定手段と、
該判定手段による良の判定結果後、該選択データに基づいて見積作成用データを作成する見積データ作成手段と、
該見積作成用データに基づいて見積書を作成する見積書作成手段とを備えていることを特徴とする。
【０００８】
この仕様決定システムでは、ショールーム等に展示されている住宅設備商品を構成する各部材の実物を見て周りながら、電子ペンで選定シートにチェックを付けて住宅設備商品の仕様を決定することができる。このため、各部材の質感等を確認しながら各部材の選択をすることができる。また、選定シートに選択可能な仕様項目が全て印刷されているため、仕様項目及び選択データが一目瞭然に把握することができる。このため、選択漏れを防ぐことができる。また、見積書を迅速に作成することができ、顧客に提示することができる。
【０００９】
したがって、本発明の住宅設備商品の仕様決定システムは、顧客が所望する仕様を容易かつ確実に決定することができる。
【００１０】
本発明の仕様決定システムでは、住宅設備商品は標準仕様が設定されており、選定シートの選定項目には標準仕様を選択することが可能な項目が設けられ、
標準仕様が選択されると、特定の該選定項目として自動的に標準仕様に対応する選択データを選択する自動選択手段を備え得る。
【００１１】
この場合、容易に仕様を決定することができるとともに、仕様を決定するためのデータの選択漏れを無くすことができる。また、顧客の要望に応じて、標準仕様に対応する選択データが自動選択されたものであっても、電子ペンで選定シートにチェックを付けることにより仕様を変更することは可能である。
【００１２】
本発明の仕様決定システムでは、取得された選択データが該住宅設備商品の仕様を決定するために不足している、又は選択不可能なものであると判定手段により判定された場合、エラーメッセージを発するエラー発生手段を備え得る。
【００１３】
この場合、見積書を作成する前に選択データが不備であることが示され、選択データを再選択することにより仕様を早期に決定することができる。このため、このシステムにより仕様決定された住宅設備商品を施工する際に部材が取り付けできない事態等を回避することができる。
【００１４】
本発明の仕様決定システムでは、見積作成用データに基づいて仕様図面を作成する図面作成手段を備え得る。この場合、仕様図面を迅速に作成し、顧客に提示することができる。
【００１５】
本発明の仕様決定システムでは、見積作成用データに基づいて提案書を作成する提案書作成手段を備え得る。この場合、提案書を迅速に作成し、顧客に提示することができる。
【発明を実施するための最良の形態】
【００１６】
以下、本発明の住宅設備商品の仕様決定システムを具体化した実施例を図面を参照しつつ説明する。
【実施例】
【００１７】
実施例の住宅設備商品の仕様決定システムは、図１に示すように、電子ペン１と、電子ペン１により認識可能なドットパターンが印刷されているとともに、住宅設備商品の仕様選択が可能な選定項目毎に選択データが印刷された選定シート１０とを利用するものである。
【００１８】
電子ペン１０は、図示しないが、通常のインクタイプのペン先に加えて、選定シート１０のドットパターンを読み取るための小型カメラと、データ通信装置を搭載している。電子ペン１０で選定シート１０に文字等を書くと、電子ペン１０のペン先の移動に伴って小型カメラが選定シート１０に印刷されたドットパターンを検出し、記入データが取得される。この記入データは、電子ペンで記入した内容と選定シート１０上の記入位置とからなる。記入データは、電子ペン１０に設けられた通信ボタンを操作することによりデータ通信装置から携帯電話２０に送信され、その後、携帯電話２０を操作してデータ認識サーバー３０に送信される。
【００１９】
選定シート１０は、図２、図３に示すように、住宅設備商品の種類毎に用意される。図２に示す選定シート１０は、バスルーム用であり、図３に示す選定シート１０は、キッチン用である。それぞれの選定シート１０には、図示しないドットパターンが印刷されている。
【００２０】
バスルーム用の選定シート１０には、顧客名等の顧客情報を記入する欄と、選定項目（例えば、「サイズ」、「壁パネル」等）毎に選択データ及び四角形状のチェック欄とが印刷されている。同様にキッチン用の選定シート１０には、顧客名等の顧客情報を記入する欄と、選定項目（例えば、「セット種類」、「シンク配置」等）ごとに選択データ及び四角形状のチェック欄とが印刷されている。このため、ショールーム等に展示されているバスルームやキッチンを構成する各部材の実物を見て周り、質感等を確認しながら、電子ペン１で選定シート１０にチッェクを付けて仕様を決定することができる。また、選定シート１０に選択可能な仕様項目が全て印刷されているため、仕様項目及び選択データが一目瞭然に把握することができる。このため、選択漏れを防ぐことができる。
【００２１】
データ認識サーバー３０には、顧客情報データベース３１と選定項目データベース３２とが備えられている。顧客情報データベース３１には、図示しないが、電子ペン１により認識可能なドットパターンが印刷されているとともに、顧客の氏名、連絡先、建設地、建設業者及びアンケートが記入できるように印刷された顧客カードに電子ペン１を利用して記入された記入データが蓄積される。選定項目データベース３２には、選定シートに電子ペン１を利用して記入された記入データが蓄積される。
【００２２】
また、データ認識サーバー３０には、標準仕様が選択されると、特定の選定項目として自動的に標準仕様に対応する選択データを選択する自動選択手段３３と、記入データが住宅設備商品の仕様を決定するために不足なく、かつ選択可能なものであるか否かを判定する判定手段３４と、見積作成用データ（ＣＳＶファイル）を作成する見積データ作成手段３５と、判定手段３４により、記入データが住宅設備商品の仕様を決定するために不足している、又は選択不能なものであると判定された場合にエラーメッセージを発するエラー発生手段３６とを備えている。
【００２３】
各記入データがデータ認識サーバー３０に送信されると、各データベース３１、３２にデータが蓄積される。選定項目データベース３２に記入データが蓄積されると同時に、記入データに標準仕様の選択がされている場合には、自動選択手段３３によって、特定の選択項目において自動的に標準仕様に対応する選択データが選択される。例えば、図２に示されるバスルーム用の選定シート１０において、選定項目の「グレード」の中から選択された選択データに応じて、照明が、円筒型照明、角型照明、薄型照明等の中から自動的に選択される。また、図３に示されるキッチン用の選定シート１０において、選定項目の「パッケージプランＮｏ．」に各パッケージプランに応じた番号を記入すると、ワークトップの材質がステンレス、人造大理石等の中から自動的に選択される。このため、標準仕様の選択がされると容易に仕様を決定することができる。また、仕様を決定するためのデータの選択漏れを無くすことができる。また、顧客の要望に応じて、標準仕様に対応する選択データが選択されたものであっても、電子ペン１で選定シート１０の対応する選定項目にチェックを付けることにより仕様を変更することは可能である。
【００２４】
その後、判定手段３４により記入データの良否が判定され、判定手段３３による良の判定結果後、見積データ作成手段３５により見積作成用データ（ＣＳＶファイル）が作成され、パソコン４０に送信される。記入データが住宅設備商品の仕様を決定するために不足している、又は選択不可能なものであると判定手段３３により判定された場合は、エラーメッセージ、例えば「設置階／サイズ／グレードは必須選択項目です。」がパソコン４０に送信される。このため、見積書５１等を作成する前に記入データが不備であることが示され、選択データを再選択することにより仕様を早期に決定することができる。よって、このシステムにより仕様決定されたバスルームやキッチン等を施工する際に部材が取付できない事態等を回避することができる。
【００２５】
見積作成用データ（ＣＳＶファイル）がパソコン４０に送信されると、見積作成サーバー５０に対する見積書５１の作成指示、図面作成サーバー６０に対する仕様図面６１の作成指示及び提案書作成サーバー７０に対する提案書７１の作成指示を行なうことにより、図４に示す見積書５１、図５に示す仕様図面６１、及び図６に示す提案書７１が自動的に作成される。
【００２６】
作成された見積り書５１、仕様図面６１及び提案書７１はメールサーバー８０及びファイルサーバー９０を経由して電子ペン１により選定シート１０を記入した近くのパソコン１００に送信される。また、パソコン１００から必要に応じてプリンターＰに印刷指示を行い、見積り書５１、仕様図面６１及び提案書７１を印刷することができる。このようにして、見積り書５１、仕様図面６１及び提案書７１を迅速に作成することができ、顧客に提示することができる。
【００２７】
したがって、実施例の住宅設備商品の仕様決定システムは、顧客が所望する仕様を容易かつ確実に決定することができる。
【００２８】
以上において、本発明を実施例に即して説明したが、本発明は上記実施例に制限されるものではなく、その趣旨に逸脱しない範囲で適宜変更して適用できることはいうまでもない。
【００２９】
例えば、エラーメッセージをパソコン４０に送信するのみでなく、携帯電話２０に送信するようにしても良い。この場合、より早期に記入データが不備であることに気づくことができ、選択データを再選択することにより仕様を早期に決定することができる。
【図面の簡単な説明】
【００３０】
【図１】実施例の住宅設備商品の仕様決定システムのイメージ図である。
【図２】実施例のバスルーム用の選定シートの一部を示す図である。
【図３】実施例のキッチン用の選定シートの一部を示す図である。
【図４】実施例の見積書を示す図である。
【図５】実施例の仕様図面を示す図である。
【図６】実施例の提案書を示す図である。
【符号の説明】
【００３１】
１…電子ペン
１０…選定シート
１、１０、２０…データ取得手段（２０…携帯電話）
３３…自動選択手段
３４…判定手段
３５…見積データ作成手段
３６…エラー発生手段
５０…見積書作成手段（見積書作成サーバー）
６０…図面作成手段（図面作成サーバー）
７０…提案書作成手段（提案書作成サーバー）
【図１】
2009099001.tif 000003
【図２】
2009099001.tif 000004
【図３】
2009099001.tif 000005
【図４】
2009099001.tif 000006
【図５】
2009099001.tif 000007
【図６】
2009099001.tif 000008